(57)【要約】【課題】  携帯用デジタル装置の傾斜角を用いてイメージを検索する方法及び装置を提供する。【解決手段】  携帯用デジタル装置に加えられた加速度を感知する段階と、前記感知された加速度の大きさが第１閾値以上の場合、前記携帯用デジタル装置の傾斜角及び傾斜角の履歴にしたがってディスプレイ領域上でイメージを移動させる段階とを含む。【選択図】図３
2007323637.tif 000002
【特許請求の範囲】
【請求項１】
携帯用デジタル装置に加えられた加速度を感知する段階と、
前記感知された加速度の大きさが第１閾値以上の場合、前記携帯用デジタル装置の傾斜角にしたがってディスプレイ領域上でイメージを移動させる段階とを含むイメージ検索方法。
【請求項２】
前記移動させる段階は、前記傾斜角が第２閾値より大きくない場合、前記傾斜角が大きいほど前記イメージの移動距離を増加させる段階を含む請求項１に記載のイメージ検索方法。
【請求項３】
前記移動させる段階は、前記傾斜角が第２閾値より大きくない場合、前記傾斜角が大きいほど前記イメージの移動距離の増加比率を増加させる段階を含む請求項１に記載のイメージ検索方法。
【請求項４】
前記移動させる段階は、前記傾斜角が第２閾値より大きくない場合、前記傾斜角の変化時間が長いほど前記イメージの移動を促進させる段階を含む請求項１に記載のイメージ検索方法。
【請求項５】
前記移動させる段階は、前記傾斜角が第２閾値より大きくない場合、前記傾斜角の変化率が大きいほど前記イメージの移動を促進させる段階を含む請求項１に記載のイメージ検索方法。
【請求項６】
前記移動させる段階は、前記傾斜角に変化がない場合、前記イメージを前記ディスプレイ領域の中心に移動させる段階を含む請求項１に記載のイメージ検索方法。
【請求項７】
前記移動させる段階は、前記傾斜角に変化がない時点から経過した時間の流れにしたがって前記イメージの中心点を前記ディスプレイ領域の中心点に徐々に接近させる段階を含む請求項６に記載のイメージ検索方法。
【請求項８】
前記移動させる段階は、前記イメージの中心点が前記ディスプレイ領域の中心点を基準に所定方向に変動しつつ前記ディスプレイ領域の中心点に接近するように制御する段階を含む請求項６に記載のイメージ検索方法。
【請求項９】
前記移動させる段階は、前記傾斜角が第２閾値より大きい場合、前記イメージに隣接する次のイメージを前記ディスプレイ領域の中心に移動させる段階を含む請求項１に記載のイメージ検索方法。
【請求項１０】
前記移動させる段階は、前記傾斜角が前記第２閾値より大きくなった時点から時間が経過するにしたがって前記次のイメージの中心点を前記ディスプレイ領域の中心点に徐々に接近させる段階を含む請求項９に記載のイメージ検索方法。
【請求項１１】
前記移動させる段階は、前記イメージの中心点が前記ディスプレイ領域の中心点を基準に所定方向に変動しつつ前記中心点に接近するように制御する段階を含む請求項９に記載のイメージ検索方法。
【請求項１２】
前記移動させる段階は、所定の基準軸を中心にする前記携帯用デジタル装置の前記傾斜角にしたがって前記ディスプレイ領域上で前記イメージを移動させる段階を含む請求項１に記載のイメージ検索方法。
【請求項１３】
携帯用デジタル装置に加えられた加速度を感知する感知部と、
前記感知された加速度の大きさが第１閾値以上の場合、前記携帯用デジタル装置の傾斜角にしたがって所定のディスプレイ領域上でイメージを移動させる画面管理部とを含むイメージ検索装置。
【請求項１４】
前記傾斜角が第２閾値より大きくない場合、前記画面管理部は前記傾斜角が大きいほど前記イメージの移動距離を増加させる請求項１３に記載のイメージ検索装置。
【請求項１５】
前記傾斜角が第２閾値より大きくない場合、前記画面管理部は前記傾斜角が大きいほど前記イメージの移動距離の増加比率を増加させる請求項１３に記載のイメージ検索装置。
【請求項１６】
前記傾斜角が第２閾値より大きくない場合、前記画面管理部は前記傾斜角の変化時間が長いほど前記イメージの移動を促進させる請求項１３に記載のイメージ検索装置。
【請求項１７】
前記傾斜角が第２閾値より大きくない場合、前記画面管理部は前記傾斜角の変化率が大きいほど前記イメージの移動を促進させる請求項１３に記載のイメージ検索装置。
【請求項１８】
前記傾斜角に変化がない場合、前記画面管理部は前記イメージを前記ディスプレイ領域の中心に移動させる請求項１３に記載のイメージ検索装置。
【請求項１９】
前記画面管理部は、前記傾斜角に変化がない時点から経過した時間の流れにしたがって前記イメージの中心点を前記ディスプレイ領域の中心点に徐々に接近させる請求項１８に記載のイメージ検索装置。
【請求項２０】
前記画面管理部は、前記イメージの中心点が前記ディスプレイ領域の中心点を基準に所定方向に変動しつつ前記ディスプレイ領域の中心点に接近するように制御する請求項１８に記載のイメージ検索装置。
【請求項２１】
前記傾斜角が第２閾値より大きい場合、前記画面管理部は前記イメージに隣接する次のイメージを前記ディスプレイ領域の中心に移動させる請求項１３に記載のイメージ検索装置。
【請求項２２】
前記画面管理部は、前記傾斜角が前記第２閾値より大きくなった時点から時間が経過するにしたがって前記次のイメージの中心点を前記ディスプレイ領域の中心点に徐々に接近させる請求項２１に記載のイメージ検索装置。
【請求項２３】
前記画面管理部は、前記イメージの中心点が前記ディスプレイ領域の中心点を基準に所定方向に変動しつつ前記中心点に接近するように制御する請求項２１に記載のイメージ検索装置。
【請求項２４】
所定の基準軸を中心に前記傾斜角を測定する測定部をさらに含む請求項１３に記載のイメージ検索装置。
【請求項２５】
携帯用装置の傾斜角を測定する段階と、
前記測定された傾斜角にしたがって前記携帯用装置のディスプレイ上でイメージを移動させる段階とを含むイメージ検索方法。
【請求項２６】
前記イメージは移動され、前記ディスプレイには前記移動されたイメージに隣接したイメージに取り替えてディスプレイされる請求項２５に記載のイメージ検索方法。
【請求項２７】
前記移動させる段階は、前記傾斜角が閾値より大きくない場合、前記傾斜角が増加するほど前記イメージの移動距離を増加させる段階を含む請求項２５に記載のイメージ検索方法。
【請求項２８】
前記移動させる段階は、前記傾斜角が閾値より大きくない場合、前記傾斜角が増加するほど前記イメージの移動速度を増加させる段階を含む請求項２５に記載のイメージ検索方法。
【請求項２９】
前記移動させる段階は、前記傾斜角が閾値より大きくない場合、前記傾斜角の変化率が増加するほど前記イメージの移動速度を増加させる段階を含む請求項２５に記載のイメージ検索方法。
【請求項３０】
前記移動させる段階は、前記傾斜角の変化がない場合、前記ディスプレイの中心に前記イメージを移動させる段階を含む請求項２５に記載のイメージ検索方法。
【請求項３１】
前記移動させる段階は、前記傾斜角が閾値より大きい場合、次のイメージを前記ディスプレイの中心に移動させる段階を含む請求項２５に記載のイメージ検索方法。
【請求項３２】
前記移動させる段階は、前記傾斜角が前記閾値より大きくなった時点から時間が経過するにしたがって前記次のイメージの中心点を前記ディスプレイの中心点に徐々に接近させる段階を含む請求項３１に記載のイメージ検索方法。
【請求項３３】
請求項２５に記載の方法を行う少なくとも１つのプロセシングエレメントを制御するためのコンピュータによって読取可能なコードを含む媒体。
【発明の詳細な説明】
【技術分野】
【０００１】
本発明は、イメージ検索に関し、より詳しくは携帯用デジタル装置の傾斜角を用いてイメージを検索する方法及び装置に関するものである。
【背景技術】
【０００２】
最近、携帯電話、デジタルカメラ、ＰＭＰ、ＰＤＡのような携帯用デジタル装置の普及が拡大されるにしたがって、携帯用デジタル装置の機能が多様化され、また性能も向上している。特に、マルチメディアコンテンツに関するユーザの要求に応じて携帯用デジタル装置の格納容量が膨大されることによって、携帯用デジタル装置が多量のマルチメディアコンテンツを保有できた。
【０００３】
その結果、ユーザが携帯用マルチメディア装置で所望のマルチメディアコンテンツを検索することが日常生活でも頻繁に発生した。特に、デジタルカメラやＰＭＰの場合には写真や絵のようなイメージを格納するので、これを使用するユーザは所定の画面とボタンを用いて所望のイメージを検索する。
【０００４】
これによって、携帯用マルチメディア装置を用いてより簡便にイメージを検索し得る技術が要求されている。特に、携帯用マルチメディア装置は次第に小型化していき、多数のボタン装着が困難であるためボタンを操作せずにイメージを検索することができる技術が要求されている。
【特許文献１】米国公開特許第２００５−２０８９７８号公報
【発明の開示】
【発明が解決しようとする課題】
【０００５】
本発明は、携帯用デジタル装置を用いるイメージ検索作業に、ボタンを操作せず傾けるだけで操作する便宜性を提供することを目的とする。
本発明は以上に言及した目的に制限されず、言及していないさらなる目的は下記によって当業者に明確に理解できるものである。
【課題を解決するための手段】
【０００６】
前記目的を達成するために、本発明の実施形態によるイメージ検索方法は、携帯用デジタル装置に加えられた加速度を感知する段階と、前記感知された加速度の大きさが第１閾値以上の場合、前記携帯用デジタル装置の傾斜角にしたがってディスプレイ領域上でイメージを移動させる段階とを含む。
【０００７】
前記目的を達成するために、本発明の実施形態によるイメージ検索装置は、携帯用デジタル装置に加えられた加速度を感知する感知部と、前記感知された加速度の大きさが第１閾値以上の場合、前記携帯用デジタル装置の傾斜角にしたがって所定のディスプレイ領域上でイメージを移動させる画面管理部とを含む。
【０００８】
前記目的を達成するために、本発明の実施形態によるイメージ検索方法は、携帯用装置の傾斜角を測定する段階と、前記測定された傾斜角にしたがって前記携帯用装置のディスプレイ上でイメージを移動させる段階とを含む。
その他、実施形態の具体的な事項は詳細な説明及び図面に含まれている。
【発明の効果】
【０００９】
前記のような本発明のイメージ検索方法及び装置によれば、次のような効果が１つあるいはそれ以上ある。
第一に、携帯用デジタル装置を用いるイメージ検索作業においてボタンを押さなくても検索し得るという便宜性を増加させる長所がある。
第二に、携帯用デジタル装置の傾斜角を用いてイメージを検索するのにおいてユーザが意図しない携帯用デジタル装置の動きによってイメージの位置変化が不要に発生する状況を防止する長所がある。
第三に、イメージ検索時にイメージの動きを安定化させる長所がある。
第四に、イメージ検索時にユーザに物理的オブジェクトを扱うような感じを与えて実感性を増大させる長所がある。
【発明を実施するための最良の形態】
【００１０】
本発明の利点及び特徴、そしてそれらを達成する方法は添付する図面とともに詳細に後述する実施形態を参照すれば明確になる。しかし、本発明は以下に開示される実施形態に限定されず、相異なる多様な形態によって具現でき、単に本実施形態は本発明の開示を完全なものにし、本発明の属する技術分野における通常の知識を有する者に発明の範疇を完全に知らせるために提供するものであって、本発明は請求項の範疇によってのみ定義される。明細書全体にわたって同じ参照符号は同じ構成要素を示す。
【００１１】
以下、添付する図面を参照して本発明の好ましい実施形態を詳細に説明する。
【００１２】
図１は本発明の一実施形態による携帯用デジタル装置１００を示す図面である。携帯用デジタル装置１００がイメージ検索モードで動作する場合、ユーザが携帯用デジタル装置１００を所定方向に傾ければ携帯用デジタル装置１００の画面１１０でイメージのディスプレイ位置が変わる。すなわち、携帯用デジタル装置１００の傾斜角にしたがってイメージが順次に画面１１０に表示されるが、これについての一実施形態を図２Ａ及び図２Ｂに示す。
【００１３】
まず、図２Ａに示すように、携帯用デジタル装置１００が基準軸１０を中心に＋Φだけ回転すれば、携帯用デジタル装置１００の画面１１０に表示された第１イメージ２１０が画面１１０の下方向に移動する。このとき、第１イメージ２１０に隣接する第２イメージ２２０が画面１１０上に現れ、結局、画面１１０には第２イメージ２２０が表示される。
【００１４】
また、図２Ｂに示すように、携帯用デジタル装置１００が基準軸１０を中心に−Φだけ回転すれば、携帯用デジタル装置１００の画面１１０に表示された第１イメージ２１０が画面１１０の下方向に移動する。このとき、第１イメージ２１０に隣接する第３イメージ２３０が画面１１０上に現れ、結局、画面１１０には第３イメージ２３０が表示される。
このように携帯用デジタル装置１００の動きにしたがってイメージの検索を進行させるイメージ検索装置について説明する。
【００１５】
図３は本発明の一実施形態によるイメージ検索装置３００を示すブロック図である。図示のイメージ検索装置３００は、感知部３１０、判別部３２０、傾斜角測定部３３０、画面管理部３４０を含む。このようなイメージ検索装置３００は前記携帯用デジタル装置１００に含まれ得る。
【００１６】
感知部３１０はユーザが携帯用デジタル装置１００を把持することによって発生する携帯用デジタル装置１００の動きを感知する。より具体的に、感知部３１０は携帯用デジタル装置１００に対して少なくとも１つ以上の方向に加えられる加速度を感知する。このために感知部３１０は１つ以上の加速度センサを含むことができる。好ましくは、感知部３１０は図４に示すように携帯用デジタル装置１００で互いに垂直な３つの基準軸（ｘ軸、ｙ軸、ｚ軸）方向に設けられた３つの加速度センサ（図示せず）を含むことができる。
【００１７】
判別部３２０は携帯用デジタル装置１００に加えられた加速度の大きさにしたがって携帯用デジタル装置１００の動きがイメージの動きに影響を与えるか否かを決定する。より具体的に、判別部３２０は携帯用デジタル装置１００に加えられた加速度の大きさが第１閾値より大きい場合、画面管理部３４０が携帯用デジタル装置１００の動きを反映して画面１１０上でイメージの動きを制御するように許容する。しかし、携帯用デジタル装置１００に加えられた加速度の大きさが第１閾値より大きくない場合、判別部３２０は画面管理部３４０が携帯用デジタル装置１００の動きをイメージの動きに反映させない。
【００１８】
携帯用デジタル装置１００に加えられた加速度の大きさは、感知部３１０が各基準軸について測定した加速度を合わせることによって計算できる。例えば図４に示すように、互いに垂直な３つの基準軸方向で測定された加速度が各々
【００１９】
【数１】
2007323637.tif 000003
【００２０】
であれば、携帯用デジタル装置１００に加えられた加速度の大きさＡは下記式（１）で表すことができる。
【００２１】
【数２】
2007323637.tif 000004
携帯用デジタル装置１００に力を加えない状態でＡは重力加速度に該当する約
【００２２】
【数３】
2007323637.tif 000005
の値を有するが、ユーザが携帯用デジタル装置１００に力を加えれば少なくとも１つの基準軸に追加の正方向または負方向の加速度が加えられるのでＡは
【００２３】
【数４】
2007323637.tif 000006
の値を有する。ここでユーザが意図しない動作（例えば手の震え）によって発生する
【００２４】
【数５】
2007323637.tif 000007
の大きさと、イメージを検索するために意図的に力を加える場合に発生する
【００２５】
【数６】
2007323637.tif 000008
の大きさを予め実験して計算することによって第１閾値の適正値を設定できる。
【００２６】
一般に、ユーザがイメージを検索するために意図的に力を作用させる場合、携帯用デジタル装置１００に加えられた加速度の大きさはユーザの手の震えなどによって携帯用デジタル装置１００に加えられた加速度の大きさより大きい。したがって、ユーザが意図しない携帯用デジタル装置１００の動きによって画面１１０上でイメージが動く現象は判別部３２０によって防止できる。
【００２７】
傾斜角測定部３３０は所定の基準軸を中心にする携帯用デジタル装置１００の傾斜角を測定する。携帯用デジタル装置１００の傾斜角は感知部３１０が所定の基準軸に対して感知した重力加速度成分間の比率の変化量によって計算できる。また、ジャイロスコープやＭＥＭＳ式加速度センサを用いて携帯用デジタル装置１００の傾斜角を測定することもできる。したがって、イメージ検索装置３００は感知部３１０と傾斜角測定部３３０が統合された１つの機能性ブロックを含むこともできる。
【００２８】
画面管理部３４０は携帯用デジタル装置１００の回転方向及び傾斜角にしたがって携帯用デジタル装置１００の画面１１０上でイメージの動きを制御する。画面管理部３４０によるイメージの動きの一実施形態は図２Ａ及び図２Ｂを参照して説明した通りである。また、携帯用デジタル装置１００の回転方向とそれによる画面１１０上のイメージの移動方向は実施形態によって多様に具現できる。
【００２９】
画面管理部３４０がイメージの動きを制御する状況は、携帯用デジタル装置１００の傾斜角が一定の大きさより小さい場合、携帯用デジタル装置１００の動きが止まった場合、携帯用デジタル装置１００の傾斜角が一定の大きさより大きい場合に分けられる。以下、図５ないし図１３を参照して具体的に説明する。
【００３０】
図５は本発明の一実施形態による画面管理部３４０をより具体的に示すブロック図である。図示の画面管理部３４０は、位置決定部５１０、復帰部５２０、切替部５３０、制御部５４０を含む。
位置決定部５１０は傾斜角測定部３３０が測定した携帯用デジタル装置１００の傾斜角にしたがって画面１１０上で現在の制御対象イメージの位置を決定する。位置決定部５１０によって携帯用デジタル装置１００の傾斜角が大きくなるほど画面１１０上でイメージの動き（すなわちイメージの移動距離）も大きくなる。
【００３１】
好ましくは、傾斜角が大きいほどイメージの位置変化率が大きくなり、傾斜角が小さいほどイメージの位置変化率が小さくなる。したがって携帯用デジタル装置１００の傾斜角が大きいほどイメージの動きを制御しようとするユーザの意図がよりよく反映できる。すなわち、携帯用デジタル装置１００の傾斜角が第１閾値より大きくても傾斜角の絶対的な大きさが一定レベル以下であれば、ユーザが現在イメージから隣接するイメージに画面を移動させようとする意図ではなく、現在イメージをパンニングして鑑賞しようとする意図であると判断し得る。したがって小さい傾斜角を有する動きに対しては画面変化量を小さくし、大きい傾斜角を有する動きに対しては画面変化量を大きくすることによって、ユーザが意図しない動き（例えば手の震え）によって画面１１０上でイメージが不要に動く現象を１次的に防止する判別部３２０の技術とともにイメージの動きを安定化させることができる。
【００３２】
ユーザが傾ける動作によって画面上のイメージの位置を決定する位置決定部５１０ではユーザに、例えば容器内に入っている玉を動かすような直観性と実在性を与えるために、ユーザが傾ける動作によって位置制御を計算することができる。例えば図６に示すように半径をＲにする弧６１０中に玉６２０が存在する場合を仮定する。ここで玉６２０はイメージの中心点に対応し、弧６１０は画面１１０に対応する。
【００３３】
玉６２０の動きは玉６２０の現在位置から弧の中心点Ｏまでつながる線分と基準線分６３０の間の角度（以下、間角といい、図６ではΘで示す）によって決定される。間角が０であればイメージの中心点が画面１１０の中心点に位置することを意味する。
【００３４】
玉６２０がイメージの中心点に対応すると仮定したので、間角はイメージの移動量を決定する変数である。例えば玉６２０が弧６１０上で移動する距離をイメージの移動量に対応すれば、イメージの移動量は
【００３５】
【数７】
2007323637.tif 000009
に決定できる。
【００３６】
携帯用デジタル装置１００の傾斜角による間角は下記式（２）で表すことができる。
【００３７】
【数８】
2007323637.tif 000010
式中、
【００３８】
【数９】
2007323637.tif 000011
は傾斜角であり、
【００３９】
【数１０】
2007323637.tif 000012
は求めようとする間角である。また
【００４０】
【数１１】
2007323637.tif 000013
は傾斜角と間角の関係を示す所定関数である。前述したように傾斜角が大きいほどイメージの位置変化率が大きくなるのが好ましいので、
【００４１】
【数１２】
2007323637.tif 000014
はこのような条件を反映し得る関数であるのが好ましい。図７に
【００４２】
【数１３】
2007323637.tif 000015
の一実施形態を示すグラフを示した。図示の関数
【００４３】
【数１４】
2007323637.tif 000016
によれば傾斜角
【００４４】
【数１５】
2007323637.tif 000017
の絶対値が大きくなるほど間角
【００４５】
【数１６】
2007323637.tif 000018
の絶対値の増加率が高くなり、傾斜角が０に近づくほど間角
【００４６】
【数１７】
2007323637.tif 000019
の絶対値の増加率が低くなる。したがって傾斜角が小さい時点では画面変化が少ないのでイメージ鑑賞時に揺れを減らす効果がある。
【００４７】
また図５を参照すれば、復帰部５２０は携帯用デジタル装置１００の傾斜角に変化がない場合、イメージが画面１１０の中心位置に復帰するようにイメージの位置を決定する。これによってユーザは別に復帰のために傾ける動作をしなくても、単に携帯用デジタル装置１００を手に持っているだけで自動的にイメージを画面１１０の中心位置に置いて鑑賞できる。復帰部５２０によってイメージの動きが制御される状況で、傾斜角に変化がない時点から経過した時間が長いほどイメージは画面１１０の中心点に徐々に近づき、傾斜角に変化がない時点でイメージの中心点が画面１１０の中心点から離隔された距離が短いほどイメージが画面１１０の中心点に接近する時間が短くなる。
【００４８】
これについての理解のために図６に示す概念を用いれば、復帰部５２０によって決定される間角は下記式（３）で表すことができる。
【００４９】
【数１８】
2007323637.tif 000020
式中、
【００５０】
【数１９】
2007323637.tif 000021
は求めようとする間角であり、
【００５１】
【数２０】
2007323637.tif 000022
は傾斜角に変化がない時点から現在まで経過した時間であり、
【００５２】
【数２１】
2007323637.tif 000023
は傾斜角に変化がない時点での間角である。また
【００５３】
【数２２】
2007323637.tif 000024
は間角を決定する関数であるが、その一実施形態を図８に示す。図示のように関数
【００５４】
【数２３】
2007323637.tif 000025
によれば時間
【００５５】
【数２４】
2007323637.tif 000026
が長くなるほど間角
【００５６】
【数２５】
2007323637.tif 000027
が中心点０に近づく。一方、図面は傾斜角に変化がない時点
【００５７】
【数２６】
2007323637.tif 000028
での
【００５８】
【数２７】
2007323637.tif 000029
が１である状況を示す。もし
【００５９】
【数２８】
2007323637.tif 000030
がさらに小さい数値であればグラフの開始位置が低くなり、間角
【００６０】
【数２９】
2007323637.tif 000031
が０に近づく時間がさらに短くなる。
【００６１】
一方、図８に示す実施形態によれば、イメージは画面１１０の中心点を基準に中心点の上下方向に振動し、時間が経過するほど振動幅は徐々に狭くなる。しかし、これは例示的なことであり、本発明はこれに限定されない。例えば、イメージの動きは図９に示すように振動せず徐々に画面１１０の中心点に近づくこともできる。もちろん、イメージの動きを制御するときユーザに実際の物理的オブジェクトを扱うような感じを与えるためには、図８に示すようにイメージの動きに振動要素を与えるのが好ましい。
【００６２】
また図５を参照すれば、切替部５３０は傾斜角が第２閾値を超過する場合、制御対象を次のイメージに切り替える。もし制御対象が切り替えられれば切替部５３０は新たに制御対象として選択されたイメージが徐々に画面１１０の中心に移動するようにイメージの位置を決定する。好ましくは、制御対象が切り替えられた状態で時間が経過するほど新しいイメージが徐々に画面１１０の中心点に近づく。
【００６３】
これについての理解のために図６に示す概念を用いれば、間角は下記式（４）で表すことができる。
【００６４】
【数３０】
2007323637.tif 000032
式中、
【００６５】
【数３１】
2007323637.tif 000033
は求めようとする間角であり、
【００６６】
【数３２】
2007323637.tif 000034
は制御対象が切り替えられた時から経過した時間である。また
【００６７】
【数３３】
2007323637.tif 000035
は間角を決定する関数であるが、その一実施形態を図１０に示す。図示の関数
【００６８】
【数３４】
2007323637.tif 000036
によれば時間
【００６９】
【数３５】
2007323637.tif 000037
が長くなるほど間角
【００７０】
【数３６】
2007323637.tif 000038
が０に近づく。
【００７１】
一方、図１０に示す実施形態によればイメージは画面１１０の中心点を基準に中心点の上下方向に振動し、時間が経過するほど振動幅は徐々に狭くなる。しかし、これは例示的なことであり、本発明はこれに限定されない。例えば、イメージの動きは図９に示す関数
【００７２】
【数３７】
2007323637.tif 000039
と同様に振動せず徐々に画面１１０の中心点に近づくことができる。
【００７３】
制御部５４０は位置決定部５１０、復帰部５２０、切替部５３０が決定したイメージの位置にしたがって画面１１０上でのイメージの動きを制御する。ここで、制御部５４０は位置決定部５１０、復帰部５２０、切替部５３０から提供される情報に所定の加重値を与え、加重値が与えられた情報を合成した結果によってイメージの動きを制御することができる。
【００７４】
まず位置決定部５１０によってイメージの動きを制御する場合には傾斜角の変化率が大きいほどイメージの動きに多くの影響を与えるのが好ましいので、この場合、位置決定部５１０が提供する情報に対する加重値
【００７５】
【数３８】
2007323637.tif 000040
は傾斜角の変化率
【００７６】
【数３９】
2007323637.tif 000041
が大きいほど大きくなる。加重値
【００７７】
【数４０】
2007323637.tif 000042
の一実施形態を図１１Ａにグラフで示す。また、位置決定部５１０によってイメージの動きを制御する場合、一定方向に携帯用デジタル装置１００が回転した時間が長いほどイメージの動きに多くの影響を与えるのが好ましいので、この場合、位置決定部５１０が提供する情報に対する加重値
【００７８】
【数４１】
2007323637.tif 000043
は携帯用デジタル装置１００が同一イメージ内で傾けられた時間が長いほど大きくなる。加重値
【００７９】
【数４２】
2007323637.tif 000044
の一実施形態を図１１Ｂに示す。
【００８０】
前記２つの加重値を合わせれば位置決定部５１０が提供する情報に対する最終加重値を得ることができるが、最終加重値は下記式（５）で表すことができる。
【００８１】
【数４３】
2007323637.tif 000045
式中、
【００８２】
【数４４】
2007323637.tif 000046
は求めようとする最終加重値である。
【００８３】
次に、復帰部５２０によってイメージの動きを制御する場合には傾斜角の変化がない時点、すなわち携帯用デジタル装置１００の動きがない時点から経過した時間
【００８４】
【数４５】
2007323637.tif 000047
が大きいほどイメージの動きに与えられる影響力が減少するのが好ましい。したがって復帰部５２０が提供する情報に対する加重値
【００８５】
【数４６】
2007323637.tif 000048
は時間
【００８６】
【数４７】
2007323637.tif 000049
が大きくなるほど減少し、
【００８７】
【数４８】
2007323637.tif 000050
の一実施形態を図１１Ｃにグラフで示す。
【００８８】
最後に、切替部５３０によってイメージの動きを制御する場合には制御対象が切り替えられた時点から経過した時間
【００８９】
【数４９】
2007323637.tif 000051
【００９０】
が大きいほどイメージの動きに与えられる影響力が減少するのが好ましい。したがって切替部５３０が提供する情報に対する加重値
【００９１】
【数５０】
2007323637.tif 000052
は時間
【００９２】
【数５１】
2007323637.tif 000053
が大きくなるほど減少し、
【００９３】
【数５２】
2007323637.tif 000054
の一実施形態を図１１Ｄにグラフで示す。
【００９４】
位置決定部５１０、復帰部５２０、切替部５３０によって提供されるイメージの位置に対する情報に前記のような各加重値を反映し、加重値が反映された情報を合成すれば制御部５４０はイメージの動きを総合的に制御し得られる。この場合に制御部５４０が制御するイメージの動きは下記式（６）で表すことができる。
【００９５】
【数５３】
2007323637.tif 000055
式中、
【００９６】
【数５４】
2007323637.tif 000056
は図６に示すような概念を適用する場合の間角であり、Ｗは下記式（７）で表すことができる。
【００９７】
【数５５】
2007323637.tif 000057
一方、制御部５４０は現在制御対象になるイメージ（以下、基準イメージという）だけでなく、基準イメージに隣接するイメージ（以下、隣接イメージという）の動きを制御することもできる。
【００９８】
例えば基準イメージが移動して画面１１０上に一定の大きさ以上の余白が生じる場合、制御部５４０は基準イメージから所定距離離隔された位置に隣接イメージの一部領域を表示させる。この場合、隣接イメージは基準イメージと一定間隔を維持しつつ基準イメージの動きにしたがって移動する。このような制御過程を図１２に示すが、図１２のように携帯用デジタル装置１００を傾けることによって基準イメージである第１イメージ１２１０が画面１１０の下段に移動すれば画面１１０の上段に余白が生じる。このとき、制御部５４０は第１イメージ１２１０から間隔ｄだけ離隔された位置に隣接イメージである第２イメージ１２２０を表示する（時間ｔ２参照）。第１イメージ１２１０が画面１１０の下段に移動するほど第１イメージ１２１０のディスプレイ領域は狭くなり、第２イメージ１２２０のディスプレイ領域は広くなる。
【００９９】
もし携帯用デジタル装置１００の傾斜角が第２閾値以上であれば、図１１の時間ｔ３で制御対象の切り替えが発生する。この場合、第２イメージ１２２０が基準イメージになり、第１イメージ１２１０は隣接イメージになる。
【０１００】
制御対象が切り替えられた場合、制御部５４０は切替部５３０が提供する情報にしたがって第２イメージ１２２０を画面１１０の中心に徐々に移動させる（図１０を参照して説明した振動過程は省略する）。この場合、隣接イメージである第１イメージ１２１０は基準イメージである第２イメージ１２２０と一定間隔ｄを維持しつつ第２イメージ１２２０の動きにしたがって移動し、最終的に第２イメージ１２２０が画面１１０の中央に位置する。
【０１０１】
以下、図１３を参照して前記イメージ検索装置３００の動作過程について説明する。
図１３は本発明の一実施形態によるイメージ検索過程を示すフローチャートである。
携帯用デジタル装置１００がイメージ検索モードで動作する場合、携帯用デジタル装置１００が動けば、感知部３１０は携帯用デジタル装置１００に加えられた加速度を測定する（Ｓ１３１０）。前述したように加速度は少なくとも１つ以上の基準軸について測定され得る。
【０１０２】
このとき、判別部３２０は携帯用デジタル装置１００に加えられた加速度の大きさが第１閾値より大きいかを判断する（Ｓ１３２０）。もし加速度の大きさが第１閾値より大きくなければ、携帯用デジタル装置１００の動きはイメージの検索のための動きではないと判断し得るので、イメージ検索装置３００は携帯用デジタル装置１００の動きをイメージの動きに反映しない。
【０１０３】
しかし、加速度の大きさが第１閾値より大きければ、これはイメージの検索のためのユーザの要請であると判断し得る。この場合、傾斜角測定部３３０は所定の基準軸を中心にする携帯用デジタル装置１００の傾斜角を測定する（Ｓ１３３０）。傾斜角は感知部３１０が各基準軸について測定した加速度情報を用いて求められる。
【０１０４】
画面管理部３４０は傾斜角測定部３３０が測定した傾斜角が第２閾値より大きいかを判断する（Ｓ１３４０）。もし傾斜角が第２閾値より大きくなければ画面管理部３４０は傾斜角の大きさにしたがってイメージの位置を移動させる（Ｓ１３５０）。この場合のイメージの動きは位置決定部５１０が提供する情報に主な影響を受ける。
【０１０５】
その後、画面管理部３４０は傾斜角に変化がないかを判断する（Ｓ１３６０）。傾斜角の変化有無は感知部３１０によって感知された加速度に変化が発生したか否かによって分かる。
【０１０６】
もし傾斜角に変化がなければ画面管理部３４０は時間の経過にしたがってイメージを徐々に画面１１０の中心に移動させる（Ｓ１３７０）。この場合のイメージの動きは復帰部５２０が提供する情報に主な影響を受ける。もし過程Ｓ１３６０の判断結果、傾斜角に変化が発生すれば、過程Ｓ１３４０に戻って変化された傾斜角を第２閾値と比較する作業が行われる。
【０１０７】
一方、過程Ｓ１３４０での判断結果、傾斜角が第２閾値より大きい場合、画面管理部３４０は隣接イメージが基準イメージとして設定されるように制御対象を切り替え（Ｓ１３８０）、新しい基準イメージを画面１１０の中心に移動させる（Ｓ１３９０）。この場合のイメージの動きは切替部５３０が提供する情報に主な影響を受ける。
その後、イメージ検索作業に関する終了要請がなければ（Ｓ１３９５）、再び過程Ｓ１３１０からイメージ検索過程が繰り返される。
【０１０８】
以上の説明でイメージ検索装置３００の構成要素を示す「〜部」は一種のモジュールで具現できる。ここで「モジュール」は、ソフトウェアまたはＦｉｅｌｄ  Ｐｒｏｇｒａｍｍａｂｌｅ  Ｇａｔｅ  Ａｒｒａｙ（ＦＰＧＡ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、モジュールはある役割を行う。しかし、モジュールはソフトウェアまたはハードウェアに限定される意味ではない。モジュールはアドレシングできる格納媒体にあるように構成することができ、１つまたはそれ以上のプロセッサを実行させるように構成することもできる。したがって、一例としてモジュールは、ソフトウェア構成要素、オブジェクト指向ソフトウェア構成要素、クラス構成要素及びタスク構成要素などのような構成要素と、プロセス、関数、属性、プロシージャ、サブルーチン、プログラムコードのセグメント、ドライバ、ファームウェア、マイクロコード、回路、データ、データベース、データ構造、テーブル、アレイ、及び変数を含む。構成要素とモジュールにより提供される機能は、さらに小さい数の構成要素及びモジュールで結合されたり、追加的な構成要素とモジュールにさらに分離できる。
【０１０９】
前記実施形態はコンピュータが読取可能な媒体上に記録されたコードやインストラクションによって具現できる。前記媒体はコンピュータが読取可能なコードを格納したり伝送し得る能力を有することができる。これによって前記実施形態を具現するためのプロセシングエレメントの少なくともいずれか１つを制御することができる。
【０１１０】
コンピュータが読取可能なコードは多様な方式で媒体上に記録されたり伝送され得る。前記媒体は、例えばＲＯＭ、フロッピー（登録商標）ディスク、ハードディスクのような磁器格納媒体、ＣＤ−ＲＯＭやＤＶＤのような光記録媒体、及び搬送波のような格納／伝送媒体がある。本発明の一実施形態によれば前記媒体は合成信号やビットストリームのような信号であり得る。また、前記媒体は分散ネットワークでもあり得る。この場合、コンピュータによって読取可能なコードは分散方式で格納／伝送及び実行できる。また、前記プロセシングエレメントはプロセッサやコンピュータプロセッサを含むことができ、多数のデバイスに分散されたり、１つのデバイスに含まれ得る。
【０１１１】
以上、添付する図面を参照して本発明の実施形態を説明したが、本発明の属する技術分野における通常の知識を有する者は本発明がその技術的思想や必須的な特徴を変更せずに他の具体的な形態によって実施できることを理解することができる。したがって前述した実施形態はすべての面で例示的なものであって、限定的なものではないことを理解しなければならない。
【図面の簡単な説明】
【０１１２】
【図１】本発明の一実施形態による携帯用デジタル装置を示す図である。
【図２Ａ】本発明の一実施形態によるイメージ検索過程を示す図である。
【図２Ｂ】本発明の一実施形態によるイメージ検索過程を示す図である。
【図３】本発明の一実施形態によるイメージ検索装置を示すブロック図である。
【図４】本発明の一実施形態による基準軸を示す図である。
【図５】本発明の一実施形態による画面管理部をより具体的に示すブロック図である。
【図６】本発明の一実施形態による画面制御方式を説明するための図である。
【図７】本発明の一実施形態による画面制御関数を示す図である。
【図８】本発明の他の実施形態による画面制御関数を示す図である。
【図９】本発明のまた他の実施形態による画面制御関数を示す図である。
【図１０】本発明のさらなる実施形態による画面制御関数を示す図である。
【図１１Ａ】本発明の一実施形態による画面制御関数に対する加重値を示す図である。
【図１１Ｂ】本発明の一実施形態による画面制御関数に対する加重値を示す図である。
【図１１Ｃ】本発明の一実施形態による画面制御関数に対する加重値を示す図である。
【図１１Ｄ】本発明の一実施形態による画面制御関数に対する加重値を示す図である。
【図１２】本発明の一実施形態によるイメージ検索過程を説明するための図である。
【図１３】本発明の一実施形態によるイメージ検索過程を示すフローチャートである。
【符号の説明】
【０１１３】
３１０      感知部
３２０      判別部
３３０      傾斜角測定部
３４０      画面管理部
５１０      位置決定部
５２０      復帰部
５３０      切替部
５４０      制御部
【図１】
2007323637.tif 000058
【図２Ａ】
2007323637.tif 000059
【図２Ｂ】
2007323637.tif 000060
【図３】
2007323637.tif 000061
【図４】
2007323637.tif 000062
【図５】
2007323637.tif 000063
【図６】
2007323637.tif 000064
【図７】
2007323637.tif 000065
【図８】
2007323637.tif 000066
【図９】
2007323637.tif 000067
【図１０】
2007323637.tif 000068
【図１１Ａ】
2007323637.tif 000069
【図１１Ｂ】
2007323637.tif 000070
【図１１Ｃ】
2007323637.tif 000071
【図１１Ｄ】
2007323637.tif 000072
【図１２】
2007323637.tif 000073
【図１３】
2007323637.tif 000074